(57)【特許請求の範囲】
【請求項１】
それぞれアンテナを介して衛星より自船位置信号を検出するそれぞれの曳舟ＧＰＳ受信機、該曳舟ＧＰＳ受信機がそれぞれ接続される曳舟信号変換機能を設けた曳舟制御装置及び前記曳舟ＧＰＳ受信機で受信した各曳舟位置信号を前記曳舟制御装置の前記曳舟信号変換機能によってそれぞれ識別信号を付けてアンテナより送信する曳舟無線送信機とをそれぞれ設け、網を引いてシラス漁をする多数の曳舟と、アンテナを介して自船位置信号を検出する親船ＧＰＳ受信機、前記曳舟から送信された位置信号をアンテナを介して受信する親船無線受信機、前記親船ＧＰＳ受信機及び前記親船無線受信機からの受信信号を信号変換する親船信号変換機能及び該親船信号変換機能で変換された信号を画像処理する画像信号処理機能を設けた親船制御装置及び前記親船ＧＰＳ受信機で受信した親船の位置信号と前記親船無線受信機で受信した前記曳舟の位置信号とを同一画面に表示するようにした親船表示装置とを設けた親船とからなり、前記親船表示装置で前記親船の位置とともに前記多数の曳船の位置を表示することを特徴とする漁船位置表示装置。
【請求項２】
前記曳舟に曳舟無線受信機を装着し、前記親船に親船無線送信機を装着することにより、前記曳舟の表示装置及び前記親船の表示装置にそれぞれ前記親船の位置及び前記曳船の位置を表示することを特徴とする請求項１記載の漁船位置表示装置。
【発明の詳細な説明】
【０００１】
【発明が属する技術分野】
本発明は、表示装置に曳舟位置と親船位置を表示するようにした漁船位置表示装置に関するものである。
【０００２】
【従来の技術】
一般に、シラス漁等においては、指揮する親船（魚群探知機を使用してシラスを探知する）と網を曳く曳舟と捕ったシラスを積む荷船が一団となってシラス漁を行うが、従来のＧＰＳ受信機では、単に付近の地形とともに、自船位置を表示するようにしている。
【０００３】
【発明が解決しようとする課題】
従って、このようなＧＰＳ受信機では、親船及び曳舟の表示装置には、それぞれ自船の位置は表示されるが、他船の位置は表示されないので、網を曳く時に、親船は自船の位置と曳舟の位置を目視しながら指揮しなければならないという問題があった。
【０００４】
【課題を解決しようとする手段】
本発明は、それぞれアンテナを介して衛星より自船位置信号を検出するそれぞれの曳舟ＧＰＳ受信機、該曳舟ＧＰＳ受信機がそれぞれ接続される曳舟信号変換機能を設けた曳舟制御装置及び前記曳舟ＧＰＳ受信機で受信した各曳舟位置信号を前記曳舟制御装置の前記曳舟信号変換機能によってそれぞれ識別信号を付けてアンテナより送信する曳舟無線送信機とをそれぞれ設け、網を引いてシラス漁をする多数の曳舟と、アンテナを介して自船位置信号を検出する親船ＧＰＳ受信機、前記曳舟から送信された位置信号をアンテナを介して受信する親船無線受信機、前記親船ＧＰＳ受信機及び前記親船無線受信機からの受信信号を信号変換する親船信号変換機能及び該親船信号変換機能で変換された信号を画像処理する画像信号処理機能を設けた親船制御装置及び前記親船ＧＰＳ受信機で受信した親船の位置信号と前記親船無線受信機で受信した前記曳舟の位置信号とを同一画面に表示するようにした親船表示装置とを設けた親船とからなり、前記親船表示装置で前記親船の位置とともに前記多数の曳船の位置を表示するものであり、又、前記曳舟に曳舟無線受信機を装着し、前記親船に親船無線送信機を装着することにより、前記曳舟の表示装置及び前記親船の表示装置にそれぞれ前記親船の位置及び前記曳船の位置を表示するものである。
【０００５】
【発明の実施の形態】
本発明では、親船の親船ＧＰＳ受信機によって受信された自船位置を表示装置に表示するとともに、曳舟はそれぞれの位置を曳舟ＧＰＳ受信機で受信して、無線送信装置で親船に送信することにより、親船は曳舟から送信された位置信号を表示装置の同一画面上に表示することができるので、親船の指揮する者は表示装置を見るだけで親船の自船位置とそれぞれの曳舟の位置との位置関係をすぐに確認することができ、従って、網を曳く時に、各曳舟間の位置を正確に指示することができる。
【０００６】
【実施例】
図１は本発明の実施例の親船の漁船位置表示装置のブロック図で、ＧＰＳ受信機１にアンテナ２が装着され、ＧＰＳ受信機１はＣＰＵからなる制御装置３に接続され、制御装置３は信号変換機能３ａ、信号処理機能３ｂ、画像メモり機能３ｃが装着され、又、制御装置３にアンテナ５を装着した無線受信機４が接続され、さらに、制御装置３の画像メモリ機能３ｃに表示装置６が接続されている。
【０００７】
図２は本発明の実施例の曳舟の漁船位置装置のブロック図で、ＧＰＳ受信機７にアンテナ８が装着され、ＧＰＳ受信機８はＣＰＵからなる制御装置９に接続され、制御装置９は信号変換機能９ａ、信号処理機能９ｂ、画像メモリ機能９ｃが装着され、又、制御装置９にアンテナ１１を装着した無線送信機１０に接続され、さらに、制御装置９の画像メモリ機能９ｃに表示装置１２が接続されている。
【０００８】
このように構成した本実施例では、それぞれの曳舟はＧＰＳ受信機７で人工衛星から自船位置を受信して、制御装置９の信号変換機能９ａで送信信号に変換し、この送信信号が無線送信機１０に送られると、無線送信機１０から自船位置を発信するので、親船はこの発信信号を無線受信機４で受信して、制御装置３に送信するので、制御装置３は信号変換機能３ａで信号変換し、信号処理機能３ｂで信号処理して画像メモリ機能３ｃに記憶し、順次画像メモり機能３ｃから順次曳舟の位置信号を読み出して表示装置６で曳舟のそれぞれの位置を表示する。
【０００９】
又、親船はＧＰＳ受信機１で人工衛星から自船位置を検出し、この検出信号を制御装置３の信号変換機能３ａで信号変換し、信号処理機能３ｂで画像処理して画像メモリ３ｃに記憶し、画像メモリ機能３ｃから順次読み出して表示装置６で曳舟の位置とともに親船の位置を表示する。
【００１０】
本実施例は、このように構成したので、親船の表示装置６には、親船の位置とともに各曳舟の位置が表示され、従って、曳舟で網を曳く時に、親船から各曳舟にそれぞれの位置関係を無線で指示することができ、それによって、網は容易に正常の状態で各曳舟によって曳くことができる。
【００１１】
図３は本発明の実施例の漁船位置装置の親船及び曳舟のブロック図で、１はＧＰＳ受信機、２はアンテナ、３は制御装置、６は表示装置であり、これらの構成は図１の構成と同じであるので、説明は省略するが、本実施例では、制御装置３にアンテナ５を設けた無線受信機４が接続されるとともにアンテナ１１を設けた無線送信機１０が接続されている。
【００１２】
このように構成された本実施例では、親船及び曳舟にそれぞれ無線受信機４及び無線送信機１０を装着したので、親船及び曳舟の表示装置６にそれぞれ自船位置及び他船位置が表示されることにより、曳舟は親船からの指示を明確に把握することができ、網はさらに容易に正常の状態で各曳舟によって曳くことができる。
【００１３】
【発明の効果】
以上説明したように、本発明の漁船位置表示装置では、親船の表示装置には、ＧＰＳ受信機によって親船の位置が表示されるとともに、各曳舟のＧＰＳ受信機でそれぞれ受信された曳舟の位置信号が無線送信機によって親船に送信するので、親船の表示装置の同一画面に自船位置とともに送信された曳舟の位置信号が表示される、従って、網を曳く時に、親船から曳舟にそれぞれ指示を出すことにより、曳舟は常に親船の指示に従って移動することができるので、網は正常な状態で曳舟によって曳かれ、網が交差したり、たわんだりすることがないという利点があり、又、親船及び曳舟にそれぞれ無線送信機及び無線送信機を設けることにより、親船及び曳舟の表示装置にそれぞれ自船位置及び他船位置が表示されるので、曳舟のそれぞれが他船に対する自船の状態を把握することができ、網はより正常な状態で曳舟によって曳かれるという利点がある。
【図面の簡単な説明】
【図１】  本発明の実施例の漁船位置表示装置の親船のブロック図である。
【図２】  本発明の実施例の漁船位置表示装置の曳舟のブロック図である。
【図３】  本発明の他の実施例の漁船位置表示装置の親船及び曳舟のブロック図である。
【符号の説明】
１                ＧＰＳ受信機
２                アンテナ
３                制御装置
４                無線受信機
５                アンテナ
６                表示装置
７                ＧＰＳ受信機
８                アンテナ
９                制御装置
１０              無線送信機
１１              アンテナ
１２              表示装置
【図１】
0004190807.tif 000002
【図２】
0004190807.tif 000003
【図３】
0004190807.tif 000004